(57)【特許請求の範囲】
【請求項１】
単純マトリクス液晶表示素子を直交行列を用いた複数ライン同時選択法で駆動する液晶表示装置の駆動方法において、
ｎ行ｍ列の直交行列をＡとし、直交行列Ａの行列要素をすべて極性反転した直交行列をＡ￣とし、直交行列Ａの各行を１行おきの各行電極に対応させるとともに直交行列Ａ￣の各行を直交行列Ａに対応した各行電極の隣接行電極に対応させて駆動した後、直交行列Ａと直交行列Ａ￣を入れ替えて駆動することを特徴とする液晶表示装置の駆動方法。
【請求項２】
直交行列Ａとして、
【数１】
0003875809.tif 000003
または、直交行列Ａの行もしくは列を入れ替えて生成される直交行列を用いる請求項１に記載の液晶表示装置の駆動方法。
【請求項３】
オンデータとオフデータの組み合わせで中間電圧を発生するフレーム間引き法を用い、連続する任意の２フレームで各行電極のオンデータとオフデータの数の平均値が等しくなるように各画素にオンデータとオフデータとを割り付ける請求項１または２に記載の液晶表示装置の駆動方法。
【請求項４】
隣接する２つの行電極のうちの一方の行電極に印加される電圧パルスを他方の行電極に印加されるパルス幅と異ならせ、次に一方の行電極と他方の行電極に印加されるパルス幅を入れ替えて駆動する請求項３に記載の液晶表示装置の駆動方法。
【請求項５】
駆動周波数を３０〜６０Ｈｚとする請求項１、２、３または４に記載の液晶表示装置の駆動方法。
【発明の詳細な説明】
【０００１】
【発明の属する技術分野】
本発明は、単純マトリクス方式の液晶表示装置の駆動方法であって、複数ライン同時選択法を用いた駆動方法に関する。
【０００２】
【従来の技術】
軽量、薄型、低消費電力を特徴とする液晶表示装置はその優位性を生かして、携帯電話やポケットベルなどの携帯機器や小型情報端末機器に広く用いられている。それらの機器における表示情報は文字情報を中心とした白黒２値のものが多いが、今後、通信情報分野のサービス向上に伴って、より多くの情報を表示することが求められる。それに伴って、液晶表示装置には、より高精細で多色化した表示を行うことが求められる。
【０００３】
一方で、携帯機器や小型情報端末機器では、電池の入れ替えや充電の手間を軽減するために、また、電池廃棄量を低減させるという環境問題等の観点から、低消費電力化が要請されている。また、上述した高精細化および多色化の要求に応えようとすると液晶表示装置の消費電力が増加することからも、液晶表示装置の低消費電力化が強く要請されている。
【０００４】
液晶表示装置の低消費電力化を図る方法として、駆動電圧を下げる方法や駆動周波数を下げる方法がある。駆動電圧を下げる方法は、所定の走査電圧と信号電圧値の電圧値比を変える方法である。しかし、駆動電圧を低下させると当然に消費電力は低下するが、オン電圧とオフ電圧の実効値比（バイアス比）が最大となる最適バイアスよりも小さくなる場合がある。すなわち、コントラストの低下を招くおそれがある。
【０００５】
駆動周波数を低下させると駆動回路の構成素子を流れる貫通電流等が少なくなるので消費電流は低下するが、単純マトリクス方式で駆動される液晶パネルではちらつきが目立つようになる。マトリクス駆動では一般に交流駆動が用いられるので、オン画素には、オンに相当する正極性の実効電圧が印加された後に必ず負極性の実効電圧が印加される。しかし、実際には、等レベルの正極性および負極性の電圧を印加しても、液晶パネルの非対称性によって液晶素子に印加される実効電圧には差が生ずる。そして、駆動周波数を下げていくと、実効電圧差に応じた輝度差が視認されるようになり、ちらつきとして現れる。
【０００６】
また、コントラストを低下させる要因としてフレーム応答もある。駆動周波数を下げていくとフレーム応答が顕著になるので、コントラストが低下する。ＳＴＮ液晶素子をより高速に駆動するために複数ライン同時選択法（マルチラインアドレッシング法：ＭＬＡ法）が提案されている。複数ライン同時選択法は、複数の走査電極（行電極）を一括して選択して駆動する方法である。ＭＬＡ法では、データ電極（列電極）に供給される列表示パターンを独立に制御するために、同時に駆動される各行電極には、所定の電圧パルス列が印加される。
【０００７】
各行電極に印加される電圧パルス電圧群（選択パルス群）は、Ｌ行Ｋ列の行列で表すことができる。以下この行列を選択行列（Ａ）という。Ｌは同時選択数である。電圧パルス電圧群は、互いに直交するベクトル群として表される。従って、それらのベクトルを要素として含む行列は直交行列となる。各行列内の各行ベクトルは互いに直交である。
【０００８】
直交行列において、各行は液晶表示装置の各ラインに対応する。例えば、Ｌ本の選択ライン中の第１番目のラインに対して、選択行列（Ａ）の第１行目の要素が適用される。すなわち１列目の要素、２列目の要素の順に選択パルスが、第１番目の行電極に印加される。
【０００９】
図１１〜図１３は、列電極に印加される電圧波形のシーケンスの決め方を示す説明図である。ここでは画素として図１１に示す８行２列、選択行列として図１２に示す４行４列のアダマール行列を例にとる。図１２に示す選択行列において、「１」は正の選択パルス、「−１」は負の選択パルスを意味する。以下、同時選択される４ラインをサブグループと呼ぶ。
【００１０】
列電極１，列電極２において表示されるべき表示データが図１１に示すようになっているとする。図１１において、白丸は点灯であること、黒丸は消灯であることを示す。すると、サブグループ１、サブグループ２の列表示パターンは、図１３に示すようなベクトル（ｄ）で表される。図１３に示すベクトル（ｄ）では、「−１」はオン表示に対応し、「１」はオフ表示に対応する。
【００１１】
列電極１，２のサブグループ１、サブグループ２に順次印加されるべき電圧レベルは、図１３に示すベクトル（ｖ）のようになる。このベクトルは、列表示パターン（画像表示パターン）とそれに対応する行選択パターンとについてビットごとに積をとり、それらの結果の和をとったものに対応する。
【００１２】
このような複数ライン同時選択法は、液晶のフレーム応答を抑制し、その結果、高速応答（ｒ＋ｄ＜２００ｍｓ：ｒは液晶分子の立上がり時間、ｄは立下がり時間）と高コントラスト（４０：１以上）とを達成できる。すなわち、ＳＴＮなどの単純マトリックス表示装置において従来駆動表示では困難とされていた高品位の画像提供が可能になる。
【００１３】
【発明が解決しようとする課題】
従って、上述したちらつきを抑制できれば、コントラスト改善に効果的なＭＬＡ法を用いた低周波駆動を行うことによって、表示品質を高位に保ちつつ低消費電力化を実現できることになる。
【００１４】
なお、本発明が解決しようとする表示のちらつきとは次のようなものである。ＭＬＡ法で単純マトリクス液晶表示素子を駆動周波数６０Ｈｚ以下で低周波駆動した場合に、文字情報を表示する領域以外の背景地に輝度の微小な変化が間欠的に現れることがある。文字情報を表す領域にも連関して輝度の変化が出る。全体として見ると明らかに、文字を表示しているが小さな波をうっているような微小変化が部分的に起きていることがわかる。これは、文字情報を示す画素のコントラストよりはかなり低い輝度の変化である。
【００１５】
しかし、人間の目は感度が高く、輝度の変化として十分に視認できるものである。ただし、個人差、年齢差があり、このちらつきをあまり感じない人も存在するが、一般的に、視認者によるちらつきの感知を平均的、統計的にみて評価した場合、低い表示品質のものであると判断される。また、このちらつきは、文字情報そのものが見えにくくなるといったものではなく、さらに、工業規格として標準的に定まっているわけでもないが、市場において、一般販売される表示装置として求められる品位のものではない。また、定常的にちらつきが発生しない方がよいことはいうまでもない。
【００１６】
さらに、液晶表示装置の駆動電源の変動によっても、表示品位が変わり得るが、関係するその他の使用環境を総合的に評価したうえで、安定したちらつきのない表示を得ることが重要である。
【００１７】
また、表示の多色化を実現するには、何らかの階調表示方式を用いる必要があるので、ここで、単純マトリクス方式による各種階調方式における問題点について説明する。
【００１８】
（１）フレーム間引き（フレーム変調）
全表示画素にオンまたはオフに相当する電圧レベルが印加される最短期間を１フレームとし、複数のフレームを１単位としてオンとオフのパターンを周期的に繰り返すことによって中間調を表示する方法である。階調数は１単位中のフレーム数を増やことによって増大する。しかし、フレーム数を増やすと、１単位の周期が長くなるので、オンとオフの繰り返しに対する液晶の応答が人間にちらつきとして認識される。従って、単純にＭＬＡ法と組み合わせて低周波駆動を行うと、ちらつきを増大させてしまう。
【００１９】
（２）パルス幅変調
行ラインが一度選択される期間を複数の時間領域に分け、それらにオンに相当する電圧レベルとオフに相当する電圧レベルを割り当てて、オンとオフの組み合わせによって中間調を表示する方法である。時間領域数に応じて中間調は増大する。しかし、階調数を増加させると、時間あたりの印加電圧の変位回数が増大する。印加電圧の変位部分には電圧歪みが生じ、波形歪みは印加電圧実効値の損失を引き起こすので表示上尾引き現象が生ずる。さらに、ＭＬＡ法と組み合わせた場合には、時間当たりの電圧変位数が増えて消費電流が増大してしまう。
【００２０】
（３）振幅変調
単純マトリクス方式では、行ラインに電圧パルスが印加されたときに、それに同期して列電極側にも交差する部分に所定の電圧が印加される。階調表示を行わない場合には、オン時にはオンに相当する電圧レベルが印加され、オフ時にはオフに相当する電圧レベルが印加される。振幅変調では、それらの中間の電圧を印加することによって中間電圧を発生し中間調を実現する。振幅変調では、電圧平均化法を満足させるために、列電圧に補正電圧を印加する必要がある。そのために、列ドライバの出力レベル数が増大する。従って、階調を増やすと中間電圧レベルと補正電圧レベルが増大する。ＭＬＡ法と組み合わせると、より多くの電圧レベルが必要になり、やはり消費電力の増大を招く。
【００２１】
本発明は、上記のような課題を解決するためのものであって、ＭＬＡ法で単純マトリクス方式の液晶表示装置を駆動する駆動方法において、低周波駆動を行っても、液晶パネルのちらつきを防止することができる液晶表示装置の駆動方法を提供することを目的とする。さらに、高精細液晶パネルをマルチプレクス駆動する際に、低消費電力化を同時に達成できる駆動方法を提供することを目的とする。
【００２３】
【課題を解決するための手段】
請求項１記載の発明に係る液晶表示装置の駆動方法は、単純マトリクス液晶表示素子を直交行列を用いた複数ライン同時選択法で駆動する駆動方法であって、ｎ行ｍ列の直交行列をＡとし、直交行列Ａの行列要素をすべて極性反転した直交行列をＡ￣とし、直交行列Ａの各行を１行おきの各行電極に対応させるとともに直交行列Ａ￣の各行を直交行列Ａに対応した各行電極の隣接行電極に対応させて駆動した後、直交行列Ａと直交行列Ａ￣を入れ替えて駆動することを特徴とする。
【００２４】
請求項２記載の発明に係る液晶表示装置の駆動方法は、好ましい直交行列Ａとして、
【数２】
0003875809.tif 000002
または、直交行列Ａの行もしくは列を入れ替えて生成される直交行列を用いることを特徴とする。
【００２５】
請求項３記載の発明に係る液晶表示装置の駆動方法は、オンデータとオフデータの組み合わせで中間電圧を発生するフレーム間引き法を用い、連続する任意の２フレームで各行電極のオンデータとオフデータの数の平均値が等しくなるように各画素にオンデータとオフデータとを割り付けることを特徴とする。
【００２６】
請求項４記載の発明に係る液晶表示装置の駆動方法は、請求項３記載の駆動方法において、隣接する２つの行電極のうちの一方の行電極に印加される電圧パルスを他方の行電極に印加されるパルス幅と異ならせ、次に一方の行電極と他方の行電極に印加されるパルス幅を入れ替えて駆動することを特徴とする。
【００２７】
請求項５に記載されたように、駆動周波数を３０〜６０Ｈｚとすれば、従来の駆動周波数６０〜７０Ｈｚ程度に比べて、液晶表示装置の消費電力を低減させることができる。
【００２８】
【発明の実施の形態】
以下、図面を参照して説明する。図１は、本発明の液晶表示装置の駆動方法の一構成例を示すブロック図である。図１において、ＭＬＡ駆動回路１０は、画像データ１００と制御信号１０１とを入力し、列ドライバに対して列データ信号１０４を出力し、列ドライバと行ドライバに対して必要な制御信号１０８を出力する。また、行ドライバに対して直交行列信号１１１を出力する。制御信号１０１には、ドットクロック信号、垂直同期信号、水平同期信号、画像データの有効期間を示すデータ・イネーブル信号等が含まれる。
【００２９】
ＭＬＡ駆動回路１０に入力される階調信号を持った画像データ１００は、階調処理回路１１に入力される。階調処理回路１１は、入力した画像データ１００を各表示フレームごとの階調レベルを示す階調データ１０２に変換してフレームメモリ１２に書き込む。フレームメモリ１２は、複数ライン同時選択駆動（ＭＬＡ駆動）するために複数回読み出されるまで、書き込まれた階調データを保持する。
【００３０】
直交関数発生回路１６は、２種類の直交行列を保持し、所定期間毎に出力されるタイミングコントロール回路１５からの指示信号１０９に応じて、いずれかの直交行列信号１１１を行ドライバに出力する。また、直交行列信号１１１と同一内容の直交行列信号１１０をＭＬＡ演算回路１３に出力する。
【００３１】
ＭＬＡ演算回路１３は、フレームメモリ１２から階調データ１０３を読み出し、階調データ１０３と直交行列信号１１０との内積演算を行って列電極に印加される電圧パターンを生成する。そして、電圧パターンを列データ信号１０４として列ドライバに出力する。タイミングコントロール回路１５は、各回路ブロックに対して必要な制御信号１０５，１０６，１０７と列ドライバおよび行ドライバに対する制御信号１０８を生成する。
【００３２】
なお、列ドライバは、列データ信号１０４に応じて液晶パネルの列電極に液晶駆動電圧を印加する。また、行ドライバは、行選択パターン信号に応じて液晶パネルの行電極に所定の電圧を印加する。以下、図１に示したＭＬＡ駆動回路の動作について説明する。ただし、以下に説明する例１および例２は、２値画像を表示する場合の例である。従って、例１および例２に示す駆動方法を実現するＭＬＡ駆動回路１０では、階調処理回路１１は必要とされない。
【００３３】
［例１］
本例では、行ライン数が１２０ラインであるドットマトリクスの液晶表示素子において、ＭＬＡ法で４×４の直交行列を用いて順次４本の行ラインを選択する。各画素にオンまたはオフに相当する実効電圧が印加される最小周期を１フレーム期間とすると、１フレーム期間に１つの行ラインが選択される回数が、４回なので１フレーム期間は１２０選択期間となる。
【００３４】
２つの直交行列として、式（１）による直交行列（選択行列）「Ａ」の第１行と第３行の行列要素の極性を反転させた直交行列「Ａ１」と、直交行列「Ａ」の第２行と第４行の行列要素の極性を反転させた直交行列「Ａ１」とを使用する。
【００３５】
なお、上記の直交行列の任意の各行または各列を入れ替えることによって生成される行列も直交行列であり、本例および以下に説明する各例において、そのように生成される直交行列を用いても同様の効果が得られる。また、他の直交行列を用いても同様である。
【００３６】
直交行列「Ａ１」，「Ａ２」を図２に示す。ＭＬＡ法による駆動では、行電極に直交行列の各行を割り当て、直交行列の行列要素を、＋１のときには＋Ｖｒとして、−１のときには−Ｖｒとして、列毎に一括して印加する。同時に、列電極には、行電極と列電極が交差する表示データをオンのとき−１、オフのとき＋１とし、直交行列の列要素との内積値に比例した電圧値を印加する。
【００３７】
すなわち、ＭＬＡ演算回路１３は、表示データと直交行列「Ａ１」，「Ａ２」の列要素との内積値を列データ信号１０４として列ドライバに出力し、列ドライバは、列データ信号１０４に応じた電圧を列電極に印加する。また、直交関数発生回路１６は、列データ信号１０４との同期をとって、直交行列「Ａ１」，「Ａ２」の各列要素を直交行列信号１１１として行ドライバに出力する。
【００３８】
同時選択数に応じて、複数の行電極からなるサブグループを定義し、それぞれのサブグループに直交行列を対応させる。そして、直交行列の列要素を１回ずつ対応させて、所定のオン表示やオフ表示に相当する電圧が印加される。例１では、図３に示すように、連続する４本の行電極を１つのサブグループとし、直交行列として第１フレームでは「Ａ１」、それに続く第２フレームでは「Ａ２」を用いる。なお、図３において、数字は行電極番号を示す。
【００３９】
図４は、各期間ｔ１〜ｔ４において各画素に印加される電圧レベルを示す説明図である。図４では、一例としてオフ表示がなされる場合を示す。上段は直交行列として「Ａ１」を用いたときの印加電圧のパルス系列を示す。すなわち、期間ｔ１において直交行列の第１列、期間ｔ２において第２列、期間ｔ３において第３列、期間ｔ４において第４列に相当する電圧が行電極に印加され、列電極に、直交行列「Ａ１」の各列要素と表示データとの内積値が印加されたときの各画素に印加される電圧パルスを示す。ここで、Ｖｃは内積値＝−２に相当する電圧レベルであり、−Ｖｃは内積値＝２に相当する電圧レベルである。
【００４０】
図４に示すように、第１フレームにおいて、各行電極における画素に印加される電圧パルスの振幅は等しく、｜２Ｖｒ｜である。しかし、極性は、１行おきに反対になっている。すなわち、隣接する行電極における画素には、極性の異なる電圧レベル（（ａ）に示す電圧系列と（ｂ）に示す電圧系列）が印加される。
【００４１】
第２フレームでは、直交行列「Ａ２」が用いられる。図４下段は、直交行列として「Ａ２」を用いたときの印加電圧のパルス系列を示す。第２フレームでも各行電極で印加される電圧パルスの振幅は等しく、｜２Ｖｒ｜である。しかも、極性も、第１フレームの場合と同様に１行おきに反対になっている。しかし、第２フレームでは、各行電極における画素に対して第１フレームで印加される電圧レベルとは極性が異なるレベルが印加される。つまり、行電極と電圧系列（ａ）および電圧系列（ｂ）との組み合わせが互いに入れ替わっている。
【００４２】
（ａ）と（ｂ）の各電圧系列は、電圧振幅については同じであるが、極性が互いに反対である。液晶素子は実効電圧に応答するものと近似できるが、極性は異なるがレベルが同一の実効電圧を外部から印加しても、液晶素子自身の非対称性によって同一の光学特性を示さないことは既に述べた。よって、第１フレームで全行が（ａ）の電圧系列で、第２フレームで全行が（ｂ）の電圧系列で電圧印加された場合には、液晶素子の非対称性に起因して輝度変化、すなわちちらつきが視認される。
【００４３】
しかし、この例によれば、第１フレームでは第１の直交行列「Ａ１」を用い、第２フレームでは直交行列「Ａ２」を用いることによって、液晶の交流化が実現でき、さらに液晶素子に印加される電圧系列（ａ），（ｂ）の極性の組み合わせがそれぞれ隣接する行毎に分散され、フレーム毎に入れ替わることによって、ちらつきが抑制される。
【００４４】
駆動周波数を低下させていくと、電圧系列（ａ）で駆動される場合と電圧系列（ｂ）で駆動される場合とで、輝度の違いが大きくなっていく。しかし、この例では、各行電極は、隣接する行で輝度変位が相殺されるように駆動されるので、ちらつきが目立たない。
【００４５】
この例による駆動法を用いた場合には、例えば従来の駆動法では６０Ｈｚ以下の駆動周波数ではちらつきが目立つようになっていたのに対して、駆動周波数を３０Ｈｚ程度にまで下げてもちらつきが目立たないようになった。すなわち、駆動周波数を、従来の半分程度に下げることが可能になる。その結果、液晶表示装置における消費電力も、半分程度にまで下げることができる。
【００４６】
［例２］
例２では、例１の場合と同様に、行ライン数が１２０ラインであるドットマトリクスの液晶表示素子において、ＭＬＡ法で４×４の直交行列を用いて順次４本の行ラインを選択する。
【００４７】
例２では、直交行列として、式（１）の直交行列「Ａ」と、直交行列「Ａ」の全行列要素の極性を反転させた直交行列（以下「Ａ￣」とする。）とを用いる。そして、図５に示すように、行電極を１本おきに選択して同時選択数に応じたサブグループを設ける。この例では、１つのサブグループは４本の行電極からなる。さらに、１つのサブグループに直交行列Ａを対応させ、そのサブグループの各行電極に隣接する各行電極からなるサブグループには直交行列「Ａ￣」を対応させる。
【００４８】
つまり、図６に示すように、直交行列「Ａ」の各行に対応した行電極と直交行列「Ａ￣」の各行に対応した行電極とが、交互に配置されることになる。なお、図６において、ｃ、ｄは、電圧系列を示す。
【００４９】
図７は、各期間ｔ１〜ｔ４において各画素に印加される電圧レベルを示す説明図である。図７では、一例としてオフ表示がなされる場合を示す。上段は直交行列として「Ａ」を用いたときの印加電圧のパルス系列を示し、図７下段は、直交行列として「Ａ￣」を用いたときの印加電圧のパルス系列を示す。
【００５０】
図７には、期間ｔ１において直交行列の第１列、期間ｔ２において第２列、期間ｔ３において第３列、期間ｔ４において第４列に相当する電圧が各行電極に印加され、列電極に、直交行列「Ａ」または「Ａ￣」の各列要素と表示データとの内積値が印加されたときの各画素に印加される電圧パルスが表されている。ここで、Ｖｃは内積値＝−２に相当する電圧レベルであり、−Ｖｃは内積値＝２に相当する電圧レベルである。
【００５１】
図７の上段に示すように、第１のサブグループの各行電極における画素に印加される電圧パルスの振幅は、電圧系列（ｃ）のように等しい。また、図７の下段に示すように、第２のサブグループの各行電極における画素に印加される電圧パルスの振幅は、電圧系列（ｄ）のように等しい。また、上述したように、第１のサブグループを構成する各行電極と第２のサブグループを構成する各行電極とは交互に配されている。すると、各行電極に印加される電圧系列の極性は、１行おきに反対になる。すなわち、例１の場合と同様に、隣接する行電極では、極性の異なる電圧レベル（（ｃ）に示す電圧系列と（ｄ）に示す電圧系列）が印加される。
【００５２】
また、次のフレームでは、各サブグループに対応させる直交行列を入れ替えて交流化を行う。以上のようにすることによって、例１と同様に極性の組み合わせがそれぞれ隣接する行毎に分散され、フレーム毎に入れ替わることによって、ちらつきが抑制される。
【００５３】
［比較例１］
隣接する４行電極を１つのサブグループとした。そして、直交行列として第１フレームにおいて「Ａ」を用い、第２フレームにおいて「Ａ￣」を用いた。例１との違いは、各フレームで使用される直交行列において行要素の反転が行われていないことである。また、例２と比較すると、各サブグループを構成する行電極が連続した４行であることが異なっている。
【００５４】
各期間ｔ１〜ｔ４において各画素に印加される電圧レベルは、図７に示す例２と同じである。しかし、比較例１では、例２の場合とは異なり、図７上段が、連続する４本の行電極についての各画素に対する第１フレームでの印加電圧レベルに相当し、下段が同じ４本の行電極についての各画素に対する第２フレームでの印加電圧レベルに相当する。すなわち、第１フレームでは全ての行電極について電圧系列（ｃ）で駆動され、第２フレームでは全ての行電極について電圧系列（ｄ）で駆動される。電圧系列（ｃ）と電圧系列（ｄ）とは、レベルが同じであるが逆極性である。
【００５５】
比較例１によると、液晶パネルの表示画面全面でちらつきが生じた。その理由は、第１フレームと第２フレームで異なる極性の電圧が印加されることから、第１フレームと第２フレームで輝度差が生ずることによる。
【００５６】
［例３］
次に、本発明による駆動方法のうち、フレーム間引き法による中間調表示に応用した場合について説明する。本例では、４フレームを１周期として、フレーム毎にオンとオフを表示して中間調を表示するフレーム間引き法を用いる。フレーム間引き法では、オン表示（最大階調）を行うときは４フレーム期間すべてでオンを、オフ表示（最小階調）を行うときはすべてオフを表示する。オン表示およびオフ表示以外の中間調は、４回の表示期間でオンの数を制御することによって発生する。
【００５７】
図８（ａ）は、階調レベルと画素に印加されるオンオフデータの関係を示す説明図である。各階調レベルについて、横方向を表示を行う順番とすれば、階調レベル「３」では最初にオフを表示した後３回オンを表示する。なお、具体的には、各画素に印加されるオンデータまたはオフデータが決まったら、図１に示すＭＬＡ演算回路１３は、例１または例２の場合と同様に、直交行列「Ａ１」および「Ａ２」、または直交行列「Ａ」および「Ａ￣」を用いてオンオフデータとの間で内積演算を行い、演算結果を列デ−タ信号１０４とする。また、同時選択数に応じてサブグループが設定されることは例１または例２の場合と同様である。
【００５８】
例３では、表示画面の位置によって、電圧印加を開始する位置（表示順「０」〜「３」のいずれか）を変えることでちらつきを抑制する。以下、図８（ａ）に示すものを位相テーブルとよぶ。この例では、表示画面の位置に応じて電圧印加開始位相を変える。
【００５９】
また、本例では、表示画面を（２×２）＝４画素の集合に分ける。図８（ｂ）は、４画素と電圧印加開始位相との関係を示す説明図である。図８（ｂ）において、左側の（０，０）、（０，１）、（１，０）および（１，１）は、それぞれ４画素中の各画素を示す。図８（ｂ）の右側は、第１〜第４フレームでの電圧印加位相を示す。
【００６０】
例えば、表示画面全面に階調レベル「３」を表示するときについて説明を行う。図８（ｂ）に示すように、第１フレームでの各画素（０，０），（０，１），（１，０），（１，１）の位相は、それぞれ、「０」、「２」、「１」、「３」である。第２〜第４フレームでは、それぞれの画素について、表示の位相は１ずつ移動していく。
【００６１】
すると、図８（ａ）より、階調レベル「３」の場合には位相「０」のときにオフ（＝０）が表示されるのであるが、第１〜第４フレームで、位相「０」となる画素位置は上下に移動していく。すなわち、行電極毎の平均輝度は、２フレーム毎に均等になるように駆動される。つまり、第１フレームで明るい行ラインは次のフレームでは暗くなるとともに、隣接する行ラインではその反対となって、フレーム毎に輝度差の大小は入れ替わることになる。すると、ちらつきは視認しずらくなる。以上のように、本例では、連続する任意の２フレームで各行電極のオンデータとオフデータの数の平均値が等しくなるように各画素にオンデータとオフデータとを割り付けることによって、ちらつきを低減させる。
【００６２】
ここでは階調レベル「３」について説明したが、他の階調レベルについても同様であり、以上のような駆動方法を用いることによって、ちらつきのない５階調表示が実現される。従って、従来の駆動方法に比べて、同程度のちらつきに抑えるための駆動周波数を下げることができ、その結果、消費電力を低減することができる。
【００６３】
［比較例２］
例３の場合と同様の４フレームを１周期としてフレーム毎にオンとオフを表示して中間調を表示するフレーム間引き法において、図９に示すような位相配置を用いた。このとき表示画面全面に階調レベル「３」を表示したときには、各フレームにおいて、「０」の数字の位置でオフが表示される。すると、例３の場合に比べると「０」の位置の移動周期が２倍になり、複数フレームでオフの表示が連続する行ラインが出てくる。行電極毎の平均輝度は４フレームで均等化されるが、行ライン毎の平均輝度差が視認され、流れのようなちらつきのある中間調表示が確認された。
【００６４】
［例４］
さらに、階調レベル数を増やすことができる駆動方法を説明する。本例では、例３の場合と同様に、４フレームを１周期としてフレーム毎にオンとオフを表示して中間調を表示するフレーム間引き法を用いる。
【００６５】
図１０（ａ）は、行電極に印加される行選択パルスのパルス期間を示す。また、図１０（ｂ）はこの例での位相テーブルを示す。図１０（ａ）に示すように、例えば奇数フレームでは、奇数番目の行電極に印加される行選択パルス幅をＷ１とし、偶数番目の行電極に印加される行選択パルス幅をＷ２とする。そして、偶数フレームでは、逆に、偶数番目の行電極に印加される行選択パルス幅をＷ１とし、奇数番目の行電極に印加される行選択パルス幅をＷ２とする。なお、この例では、Ｗ１：Ｗ２＝１：０．８とする。
【００６６】
各階調レベル「０」〜「８」を実現するための４フレームにおけるオンデータおよびオフデータは図１０（ｂ）に示すとおりである。なお、図１０（ｂ）において、欄外のＷ１，Ｗ２は、それぞれの位相において用いられるべき行選択パルス幅を示す。
【００６７】
また、隣接４画素の電圧印加位相は、図８（ｂ）に示すものを用いる。そして、各画素に印加されるオンデータまたはオフデータが決まったら、図１に示すＭＬＡ演算回路１３は、例１または例２の場合と同様に、直交行列「Ａ１」および「Ａ２」、または直交行列「Ａ」および「Ａ￣」を用いて内積演算を行い、演算結果を列デ−タ信号１０４とする。また、同時選択数に応じてサブグループが設定されることは例１または例２の場合と同様である。
【００６８】
例えば、表示画面全面に階調レベル「１」を表示するときについて説明を行う。図８（ｂ）に示すように、第１フレームでの各画素（０，０），（０，１），（１，０），（１，１）の位相は、それぞれ、「０」、「２」、「１」、「３」である。第２〜第４フレームでは、それぞれの画素について、表示の位相は１ずつ移動していく。
【００６９】
ここで、図８（ｂ）の上段の２画素（０，０），（０，１）は奇数番目の行電極で駆動され、下段の２画素（１，０），（１，１）は偶数番目の行電極で駆動されるとする。
【００７０】
すると、図１０（ｂ）より、階調レベル「１」の場合には位相「３」のときにオン（＝１）が表示されるのであるが、上段の２画素（０，０），（０，１）では、第２フレームまたは第４フレームで位相「３」の表示がなされる。奇数番目の行電極では、第２フレームおよび第４フレームでともに短い行選択パルスＷ２が印加されるので、第１〜第４フレームで階調レベル「１」の表示が実現される。
【００７１】
また、下段の２画素（１，０），（１，１）では、第１フレームまたは第３フレームで位相「３」の表示がなされる。偶数番目の行電極では、第１フレームおよび第３フレームでともに短い行選択パルスＷ２が印加されるので、やはり、第１〜第４フレームで階調レベル「１」の表示が実現される。
【００７２】
そして、本例でも、例３の場合と同様に、第１〜第４フレームで、位相「３」となる画素位置は上下に移動していく。すなわち、行電極毎の平均輝度は、２フレーム毎に均等になるように駆動される。つまり、第１フレームで明るい行ラインは次のフレームでは暗くなるとともに、隣接する行ラインではその反対となって、フレーム毎に輝度差の大小は入れ替わることになる。すると、ちらつきは視認しずらくなる。以上のように、本例では、連続する任意の２フレームで各行電極のオンデータとオフデータの数の平均値が等しくなるように各画素にオンデータとオフデータとを割り付けることによって、ちらつきを低減させる。
【００７３】
例４では、各画素各階調レベル「０」〜「８」に応じて、４フレーム期間でオンの回数によって９階調の中間調表示が可能であるが、例３に比べ、さらに階調数を増大させることができる。オン表示やオフ表示は、行選択パルスと列電圧パルスとの差電圧によって決まるが、行選択パルスの幅を変化させることによって、差電圧の印加時間を制御することができるからである。
【００７４】
以上のように、本例では、例１または例２の駆動方法と、例３の駆動方法とを組み合わせ、さらに、隣接する行電極に対する行選択パルス幅を異ならせ、かつ、行電極において隣接フレームでの行選択パルス幅を異ならせることによって、例３の場合に比べ、より多くのちらつきのない９階調表示が実現される。
【００７５】
［比較例３］
例１または例２に示したＭＬＡ法において、例３の場合と同様に４フレームを１周期として、例４の駆動法の代わりに、１選択期間（行ラインに１度電圧パルスが印加される期間）を２分割にして、それら各分割期間に表示データを与えて９階調を実現した。例４の場合と同様にちらつきのない９階調表示が確認された。しかし、その方法では、中間調表示で列電圧レベルの変位回数が増大し、消費電力が大幅に増大してしまう。
【００７７】
【発明の効果】
ｎ行ｍ列の直交行列をＡとし、直交行列Ａの行列要素をすべて極性反転した直交行列をＡ￣とし、直交行列Ａの各行を１行おきの各行電極に対応させるとともに直交行列Ａ￣の各行を直交行列Ａに対応した各行電極の隣接行電極に対応させて駆動した後、直交行列Ａと直交行列Ａ￣を入れ替えて駆動するように構成したので、隣接する行電極間で輝度変位が相殺されるような表示を行うことが可能になり、駆動周波数を下げてもちらつきを防止することができる。すなわち、駆動周波数を低下させることによって消費電力の低減を実現することができる。
【００７８】
好ましい直交行列Ａとして、式（１）の直交行列、または直交行列Ａの行もしくは列を入れ替えて生成される直交行列を用いた場合には、隣接する行電極間で輝度変位が相殺されるような表示が実現され、駆動周波数を下げてもちらつきを防止することができる。
【００７９】
オンデータとオフデータの組み合わせで中間電圧を発生するフレーム間引き法を用い、連続する任意の２フレームで各行電極のオンデータとオフデータの数の平均値が等しくなるように各画素にオンデータとオフデータとを割り付けるように構成した場合には、ちらつきのない中間調表示を行うことができる。
【００８０】
また、隣接する２つの行電極のうちの一方の行電極に印加される電圧パルスを他方の行電極に印加されるパルス幅と異ならせ、次に一方の行電極と他方の行電極に印加されるパルス幅を入れ替えて駆動するように構成した場合には、ちらつきを低減させた上で、中間調の階調数を増やすことができる。
【００８１】
そして、駆動周波数を３０〜６０Ｈｚとすれば、従来の駆動周波数６０〜７０Ｈｚ程度に比べて、液晶表示装置の消費電力を低減させることができる。
【図面の簡単な説明】
【図１】  本発明における液晶駆動装置の一構成例を示すブロック図。
【図２】  直交行列「Ａ１」，「Ａ２」を示す説明図。
【図３】  直交行列「Ａ１」，「Ａ２」と行電極の対応関係を示す説明図。
【図４】  例１における各期間ｔ１〜ｔ４において各画素に印加される電圧レベルを示す説明図。
【図５】  直交行列「Ａ」，「Ａ￣」と行電極の対応関係を示す説明図。
【図６】  直交行列「Ａ」，「Ａ￣」と行の対応関係を示す説明図。
【図７】  例２における各期間ｔ１〜ｔ４において各画素に印加される電圧レベルを示す説明図。
【図８】  （ａ）は階調レベルと画素に印加されるオンオフデータの関係を示す説明図、（ｂ）は４画素と電圧印加開始位相との関係を示す説明図。
【図９】  例３における各画素の位相配置を示す説明図。
【図１０】  （ａ）は行電極に印加される行選択パルスのパルス期間、（ｂ）は例４での位相テーブルを示す説明図。
【図１１】  ８行２列の画素の例を示す説明図。
【図１２】  ４行４列のアダマール行列の例を示す説明図。
【図１３】  列電極データの例を示す説明図。
【符号の説明】
１０  ＭＬＡ駆動回路
１１  階調処理回路
１２  フレームメモリ
１３  ＭＬＡ演算回路
１５  タイミングコントロール回路
１６  直交関数発生回路
【図１】
0003875809.tif 000004
【図２】
0003875809.tif 000005
【図３】
0003875809.tif 000006
【図４】
0003875809.tif 000007
【図５】
0003875809.tif 000008
【図６】
0003875809.tif 000009
【図７】
0003875809.tif 000010
【図８】
0003875809.tif 000011
【図９】
0003875809.tif 000012
【図１０】
0003875809.tif 000013
【図１１】
0003875809.tif 000014
【図１２】
0003875809.tif 000015
【図１３】
0003875809.tif 000016